(57)【要約】      （修正有）【課題】エンハンスメントモードのＩＩＩ族窒化物トランジスタを提供する。【解決手段】第１のＩＩＩ族窒化物体１１０と第２のＩＩＩ族窒化物体１１２との間に形成されているとともに二次元電子ガスを有している伝導チャネルを具えるＩＩＩ族窒化物トランジスタ１００において、伝導チャネルに中断領域を生ぜしめるために電荷を内部に閉じ込めた少なくとも１つのゲート誘電体層１２５と、伝導チャネルの中断領域を復元するように作用しうるゲート電極１２３とを具える。【選択図】図１
2011205071.tif 000002
【特許請求の範囲】
【請求項１】
第１のIII 族窒化物体と第２のIII 族窒化物体との間に形成され、二次元電子ガスを有する伝導チャネルと、
この伝導チャネルに中断領域を生ぜしめるために電荷を内部に閉じ込めた少なくとも１つのゲート誘電体層と、
前記伝導チャネルの前記中断領域を復元するように作用しうるゲート電極と
を具えるIII 族窒化物トランジスタ。
【請求項２】
請求項１に記載のIII 族窒化物トランジスタにおいて、このIII 族窒化物トランジスタがエンハンスメントモードのトランジスタであるIII 族窒化物トランジスタ。
【請求項３】
請求項１に記載のIII 族窒化物トランジスタにおいて、前記少なくとも１つのゲート誘電体層がシリコン窒化物層であるIII 族窒化物トランジスタ。
【請求項４】
請求項１に記載のIII 族窒化物トランジスタにおいて、前記少なくとも１つのゲート誘電体層がシリコン酸化物層であるIII 族窒化物トランジスタ。
【請求項５】
請求項１に記載のIII 族窒化物トランジスタにおいて、前記少なくとも１つのゲート誘電体層に前記電荷がイオン注入されているIII 族窒化物トランジスタ。
【請求項６】
請求項１に記載のIII 族窒化物トランジスタにおいて、前記少なくとも１つのゲート誘電体層が前記電荷とともに成長されているIII 族窒化物トランジスタ。
【請求項７】
請求項１に記載のIII 族窒化物トランジスタにおいて、前記第１のIII 族窒化物体がAlGaＮを有しているIII 族窒化物トランジスタ。
【請求項８】
請求項１に記載のIII 族窒化物トランジスタにおいて、前記第２のIII 族窒化物体がGaＮを有しているIII 族窒化物トランジスタ。
【請求項９】
請求項１に記載のIII 族窒化物トランジスタにおいて、前記少なくとも１つのゲート誘電体層が前記第１のIII 族窒化物体上で前記ゲート電極の下側にあるIII 族窒化物トランジスタ。
【請求項１０】
請求項１に記載のIII 族窒化物トランジスタにおいて、前記電荷が負電荷であるIII 族窒化物トランジスタ。
【請求項１１】
請求項１に記載のIII 族窒化物トランジスタにおいて、前記電荷が前記少なくとも１つのゲート誘電体層の全体に亘って分散されているIII 族窒化物トランジスタ。
【請求項１２】
請求項１に記載のIII 族窒化物トランジスタにおいて、このIII 族窒化物トランジスタが電力トランジスタであるIII 族窒化物トランジスタ。
【請求項１３】
第１のIII 族窒化物体と第２のIII 族窒化物体との間に形成され、二次元電子ガスを有する伝導チャネルと、
この伝導チャネルに中断領域を生ぜしめるために電荷を内部に閉じ込めた単一のゲート誘電体層と、
前記伝導チャネルの前記中断領域を復元するように作用しうるゲート電極と
を具えるIII 族窒化物トランジスタ。
【請求項１４】
請求項１３に記載のIII 族窒化物トランジスタにおいて、このIII 族窒化物トランジスタがエンハンスメントモードのトランジスタであるIII 族窒化物トランジスタ。
【請求項１５】
請求項１３に記載のIII 族窒化物トランジスタにおいて、前記単一のゲート誘電体層がシリコン窒化物層であるIII 族窒化物トランジスタ。
【請求項１６】
請求項１３に記載のIII 族窒化物トランジスタにおいて、前記単一のゲート誘電体層がシリコン酸化物層であるIII 族窒化物トランジスタ。
【請求項１７】
請求項１３に記載のIII 族窒化物トランジスタにおいて、前記単一のゲート誘電体層に前記電荷がイオン注入されているIII 族窒化物トランジスタ。
【請求項１８】
請求項１３に記載のIII 族窒化物トランジスタにおいて、前記単一のゲート誘電体層が前記電荷とともに成長されているIII 族窒化物トランジスタ。
【請求項１９】
請求項１３に記載のIII 族窒化物トランジスタにおいて、前記電荷が負電荷であるIII 族窒化物トランジスタ。
【請求項２０】
請求項１３に記載のIII 族窒化物トランジスタにおいて、前記電荷が前記単一のゲート誘電体層の全体に亘って分散されているIII 族窒化物トランジスタ。
【発明の詳細な説明】
【技術分野】
【０００１】
本発明は概して、III 族窒化物材料に基づく種類のトランジスタに関するものであり、特にエンハンスメントモードのIII 族窒化物トランジスタに関するものである。
【背景技術】
【０００２】
III 族窒化物ヘテロ接合構造に基づくトランジスタは、代表的に、抵抗損失が低くて電流密度を高くしうる二次元電子ガス（２ＤＥＧ）を発生させるのに圧電分極電界を用いて動作している。２ＤＥＧはIII 族窒化物材料の界面に形成され、この２ＤＥＧにより、従来のIII 族窒化物ヘテロ接合トランジスタは代表的に、ゲート電位が印加されることなしに導通するようになる。従って、III 族窒化物ヘテロ接合構造を用いて形成されたトランジスタは、ノーマリーオンの、すなわち、デプレションモードのトランジスタとなる傾向にある。
【発明の概要】
【発明が解決しようとする課題】
【０００３】
III 族窒化物ヘテロ接合トランジスタは、比較的降伏電圧を高くし、電流密度を高くし、オン抵抗を低くするための電力分野にとって望ましいものである。しかし、従来のIII 族窒化物ヘテロ接合トランジスタのノーマリーオン特性は、電力分野に用いた場合に問題を生じるおそれがある。例えば、電力分野では、制御回路が完全に電力供給状態及び動作状態になる前に、電流がIII 族窒化物ヘテロ接合トランジスタを流れるのを回避することが望ましい。従って、例えば、起動及びその他の回路状態中に電流が流れる問題を回避するために、ノーマリーオフの、すなわち、エンハンスメントモードのトランジスタであるIII 族窒化物ヘテロ接合トランジスタを提供することが望ましい。
【０００４】
従って、エンハンスメントモードの、すなわち、ノーマリーオフのトランジスタとして構成した有効なIII 族窒化物トランジスタが当該技術分野で必要となる。
【課題を解決するための手段】
【０００５】
本発明は、少なくとも１つの図面に関しほぼ図示してある又は説明した或いは図示及び説明した、より完全には特許請求の範囲に記載した、単一ゲートの誘電体構造を有するエンハンスメントモードのIII 族窒化物トランジスタを提供する。
【図面の簡単な説明】
【０００６】
【図１】図１は、本発明の一実施例によるIII 族窒化物トランジスタを示す断面図である。
【図２】図２は、本発明の一実施例によるIII 族窒化物トランジスタを示す断面図である。
【図３】図３は、本発明の一実施例によるIII 族窒化物トランジスタを示す断面図である。
【図４】図４は、本発明の一実施例によるIII 族窒化物トランジスタを示す断面図である。
【発明を実施するための形態】
【０００７】
本発明は、単一ゲートの誘電体構造を有するエンハンスメントモードのIII 族窒化物トランジスタを提供する。以下の説明には、本発明の実施に関連する特定の情報が含まれるものである。当業者にとって明らかなように、本発明は本明細書に具体的に説明したのとは異なる方法で実施しうるものである。更に、本発明を不明瞭にしないように、本発明の特定の細部の幾つかの説明を省略した。
【０００８】
本発明の図面及びそれに付随する詳細な説明は、単に本発明の代表的な実施例に向けられたものにすぎないものである。簡潔さを維持するために、本発明の他の実施例を具体的に説明せずしかも図示していない。
【０００９】
図１を参照するに、この図１には本発明の一実施例によるトランジスタ１００の断面図が示されている。本例では、トランジスタ１００はエンハンスメントモードのIII 族窒化物トランジスタである。このトランジスタ１００はIII 族窒化物ヘテロ接合高電子移動度トランジスタ（ＨＥＭＴ）を具えており、このトランジスタは、基板１０６と、遷移体１０８と、III 族窒化物体１１０と、III 族窒化物体１１２と、通電電極１１６及び１１８と、ゲート構造体１２０とを有している。
【００１０】
図１に示すように、III 族窒化物体１１０は、例えばAlＮを有する遷移体１０８上に形成でき、この遷移体自体は基板１０６上に形成する。遷移体１０８は、GaＮ、AlGaＮ、AlＮ及びInGaAlＮを種々の順序で有する一連の層を具えることができ、ヘテロエピタキシャル層と基板１０６との間の不整合による歪みを軽減させることができる。基板１０６は、炭化珪素、シリコン、サファイアのような材料や、その他の適切な基板材料を有しうる。基板１０６は、III 族窒化物体１１０と適合しうるIII 族窒化物のバルク材料（例えば、GaＮバルク材料）を有するようにでき、この場合、遷移体１０８を省略しうる。
【００１１】
図１では、トランジスタ１００のIII 族窒化物体１１０はGaＮのようなIII 族窒化物材料を有し、III 族窒化物体１１２はAlGaＮのようなIII 族窒化物材料を有する。図１に示すように、III 族窒化物体１１０は基板１０６の上方に配置されており、III 族窒化物体１１２はIII 族窒化物体１１０上に配置され、二次元電子ガス（２ＤＥＧ）１１４を有する界面に伝導チャネルを形成している。例えば、III 族窒化物体１１０のIII 族窒化物材料は、III 族窒化物体１１２のIII 族窒化物材料とは異なる面内格子定数を有し、２ＤＥＧ１１４を含む伝導チャネルを形成しうるようにすることができる。トランジスタ１００を形成するのに、他のIII 族窒化物材料を用い、このIII 族窒化物材料の界面が導電用の２ＤＥＧ１１４を有する伝導チャネルを形成するようにすることができること明らかである。
【００１２】
トランジスタ１００の動作中、電流は、電極１１６（この電極はIII 族窒化物体１１２にオーム結合させるのが好ましい）と、電極１１８（この電極もIII 族窒化物体１１２にオーム結合させるのが好ましい）との間で、２ＤＥＧ１１４を有する伝導チャネルを介して流れることができる。ある実施例では、トランジスタ１００が電力トランジスタを有し、電極１１６及び１１８が電源電極を有する。ゲート構造体１２０は電極１１６及び電極１１８間に配置され、２ＤＥＧ１１４を有する伝導チャネルにおける電流の流れを制御する。従来のＨＥＭＴは代表的に、例えば、起動時に導電電極間で伝導チャネルを介して電流が自由に流れうるデプレションモードのトランジスタである。しかし、多くの適用分野では、エンハンスメントモードのトランジスタを得ることが望まれている。
【００１３】
本例では、トランジスタ１００が有するゲート構造体１２０により、２ＤＥＧ１１４を有する伝導チャネルの中断（分断）領域を生ぜしめ、これによりトランジスタ１００をエンハンスメントモードのトランジスタとする。図１に示すように、ゲート構造体１２０は導電材料を有しうるゲート電極１２３を具えており、このゲート電極１２３をゲート誘電体層１２５によりIII 族窒化物体１１２から電気絶縁させ、従って、このIII 族窒化物体１１２に容量結合させることができる。トランジスタ１００では、ゲート構造体１２０はその下側に単一のゲート誘電体層１２５、例えば、シリコン酸化物層又はシリコン窒化物層を有する。図１に示すように、ゲート誘電体層１２５はIII 族窒化物体１１２上及びゲート電極１２３上に存在する。
【００１４】
本例では、ゲート構造体１２０は、２ＤＥＧ１１４を有する伝導チャネルの中断領域を生ぜしめるのにゲート誘電体層１２５を具えている。特に、ゲート誘電体層１２５内に閉じ込められている負電荷が伝導チャネル内の２ＤＥＧ１１４を妨害して中断領域を生ぜしめる。例えば、ある実施例では、ゲート誘電体層１２５内に閉じ込められている電荷を負電荷とし、２ＤＥＧ１１４を形成する電子が伝導チャネルから反発されて伝導チャネルの中断領域を生ぜしめるようにしうる。他の実施例では、ゲート誘電体層１２５内に閉じ込められている正電荷が伝導チャネル内の２ＤＥＧ１１４を妨害して中断領域を生ぜしめるようにしうる。他の実施例では、ゲート電極１２３の下側に、例えば、何れかに電荷が閉じ込められている又は閉じ込められていない複数の他のゲート誘電体層を設けることができる。しかし、単一のゲート誘電体層が好ましい。
【００１５】
ゲート誘電体層１２５内に閉じ込められている電荷は、電子を伝導チャネルから反発させるか電子を伝導チャネルに引き付けることにより、伝導チャネル内の２ＤＥＧ１１４を妨害してトランジスタ１００のしきい値電圧を設定又はプログラミングする。本例では、例えば、特定量の電荷をゲート誘電体層１２５内に閉じ込め、電荷が存在しないとデプレションモードのトランジスタとなるようなトランジスタ１００のしきい値電圧を設定し、これによりトランジスタ１００をエンハンスメントモードのトランジスタとしうるようにする。他の実施例では、特定量の電荷をゲート誘電体層１２５内に閉じ込めて、既にエンハンスメントモードとなっているトランジスタ１００のしきい値電圧を設定するようにしうる。更に他の実施例では、特定量の電荷をゲート誘電体層１２５内に閉じ込めて、既にデプレションモードとなっているトランジスタ１００のしきい値電圧を設定するか、又はこのようにしないとエンハンスメントモードであるトランジスタをデプレションモードのトランジスタ１００とする。
【００１６】
従って、上述したように、電荷をゲート誘電体層１２５内に閉じ込めて、伝導チャネルの中断領域を生ぜしめることができる。本発明は電力トランジスタのようなトランジスタに向けられている為、トランジスタ１００の全動作中、設定しきい値を維持するように電荷がゲート誘電体層１２５内に閉じ込められるようにする。更に、設定しきい値電圧が長期間に亘り、例えば、トランジスタ１００の動作寿命に亘り維持されるように、電荷をゲート誘電体層１２５内に閉じ込める。
【００１７】
一実施例では、本例で単一の誘電体層を有するゲート構造体層１２５を電荷とともに成長させて加熱させることができる。従って、例えば、シリコン窒化物又はシリコン酸化物より成る単一の誘電体層を負電荷とともに成長させることができる。ゲート構造体層１２５は、ドーパント、例えば、フッ素、臭素、ヨウ素、塩素等を、シリコン窒化物又はシリコン酸化物より成る単一の誘電体層内に注入させることにより形成することもできる。例えば、フッ素イオンをシリコン窒化物又はシリコン酸化物のゲート誘電体層１２５内に注入することができる。その後、ある実施例では、このゲート誘電体層に熱を加えて損傷回復及び電荷移動を達成するようにしうる。従って、電荷をゲート誘電体層１２５の全体に亘って分散させることができる。
【００１８】
トランジスタ１００では、適切な電圧をゲート電極１２３に印加することにより、ゲート構造体１２０の下側で中断領域を復元させることができる。本例では、特に、ゲート電極１２３により電子を伝導チャネルに引き付けて中断領域を復元させることができる。従って、適切な電圧をゲート電極１２３に印加すると、電流が、電極１１６（この電極はIII 族窒化物体１１２にオーム結合させることができる）と、電極１１８（この電極もIII 族窒化物体１１２にオーム結合させることができる）との間で、２ＤＥＧ１１４を有する伝導チャネルを介して流れ得るようになる。本例自体によれば、適切な電圧をゲート電極１２３に印加することにより、ターンオンさせうるノーマリーオフ（すなわち、エンハンスメントモード）のIII 族窒化物トランジスタを得ることができる。
【００１９】
従って、上述したようにゲート構造体層１２５を設けることにより、トランジスタ１００の電流‐電圧特性を変更して、ノーマリーオンデバイスではなくノーマリーオフデバイスを得るようにしうる。従って、トランジスタ１００をデプレションモードではなくエンハンスメントモードで動作させることができ、起動中で制御回路がパワーアップされている際に電流が流れるのを回避させるのを補償する必要のない高電力スイッチとしてトランジスタ１００を使用しうるようになる。更に、トランジスタ１００はエンハンスメントモードのデバイスを有しうる為、このトランジスタ１００を、起動時の電力供給を制御するのにも同様に用いることができる。すなわち、トランジスタ１００を、起動時及び回路の通常動作中に電力流を制御するための論理電力素子として用いることができる。
【００２０】
本発明によるトランジスタ１００は、既知の如何なる方法によっても、個別の電力トランジスタとして基板１０６の上方に（例えば、基板１０６上に形成した遷移体１０８の上方に）形成するか、又は集積回路の一部として共通基板上に他のトランジスタと一緒に形成しうることを理解すべきである。
【００２１】
図２を参照するに、この図２は本発明の一実施例によるトランジスタ２００を示す断面図である。このトランジスタ２００は、図１の基板１０６と、遷移体１０８と、III 族窒化物体１１０と、III 族窒化物体１１２と、通電電極１１６及び１１８とにそれぞれ相当する基板２０６と、遷移体２０８と、III 族窒化物体２１０と、III 族窒化物体２１２と、通電電極２１６及び２１８とを具えている。
【００２２】
トランジスタ２００は更に、III 族窒化物体２１２の一部分上のゲート誘電体層２２２と、このゲート誘電体層２２２上のゲート誘電体層２２４と、このゲート誘電体層２２４上のゲート電極２２６とを具えている。従って、単一のゲート誘電体層（ゲート誘電体層１２５）のみを有する前述した実施例と相違して、トランジスタ２００は２つのゲート誘電体層を有する。フィールド及びパッシベーションの双方又は何れか一方の層２２７を図示のように設けることができる。一実施例によれば、ゲート誘電体層２２２及びゲート誘電体層２２４を、これらの間に電荷トラップ部が形成されるように選択しうる。従って、ある実施例では、電荷を、ゲート誘電体層２２２及びゲート誘電体層２２４の少なくとも一方の中に閉じ込めるのではなく、ゲート誘電体層２２２及びゲート誘電体層２２４間の界面に捕捉することができる。
【００２３】
ある実施例では、ゲート誘電体層２２２をシリコン窒化物とし、ゲート誘電体層２２４をシリコン酸化物としうる。他の実施例では、ゲート誘電体層２２２をシリコン酸化物とし、ゲート誘電体層２２４をシリコン窒化物としうる。他の構成も可能であること明らかである。
【００２４】
前述したように、電荷をゲート誘電体層２２２及びゲート誘電体層２２４の少なくとも一方の中に閉じ込めることができ、或いは電荷をゲート誘電体層２２２及びゲート誘電体層２２４間の界面で捕捉するようにすることができる。電荷がゲート誘電体層２２２及びゲート誘電体層２２４間の界面で捕捉される場合には、前述したトランジスタ１００と同様に、ゲート電極２２６の下側に２ＤＥＧを有する伝導チャネルの中断領域を生ぜしめてトランジスタ２００をエンハンスメントモードのトランジスタとするように捕捉電荷の量を選択することができる。適切な電圧をゲート電極２２６に印加することにより、中断領域を復元させ、トランジスタ２００を前述したトランジスタ１００と同様にオン状態にすることができる。従って、ノーマリーオフ（すなわち、エンハンスメントモード）の切換可能なトランジスタを得ることができる。
【００２５】
電荷は、前述したゲート誘電体層１２５と同様にゲート誘電体層２２２及びゲート誘電体層２２４の少なくとも一方の中に閉じ込めることができる。電荷を捕捉するために、一実施例では、製造後に、ゲート電極２２６にバイアスを加えて負電荷を発生させるようにしうる。このようにすることにより、充分に高い電界を加えた際に電流がゲート誘電体層２２２を経て（例えば、トンネリング機構を経て）流れるようにしうる。この効果は、トランジスタ２００が加熱されている間にバイアスを加えることにより、高めることができる。熱を加えることにより電荷を発生させ、この電荷をゲート誘電体層２２２及びゲート誘電体層２２４間に捕捉するようにしうる。温度、印加電圧及び時間は、発生させて捕捉する電荷の量を決定するように調整しうる。
【００２６】
一実施例では、ゲート誘電体層２２２及び２２４の少なくとも一方を負電荷とともに成長させ、その後加熱して、電荷を侵入させるとともにこれらの２つのゲート誘電体層の間に捕捉させるようにすることができる。従って、この目的のために、例えば、シリコン窒化物を負電荷とともに成長させることができる。
【００２７】
他の実施例では、フッ素、臭素、ヨウ素、塩素等の原子をゲート誘電体層２２２及び２２４の少なくとも一方の中に注入し、これに続き熱を加えて電荷をゲート誘電体層２２２及び２２４の界面まで侵入させるようにしうる。
【００２８】
トランジスタ２００は、エンハンスメントモードのトランジスタとする以外に、前述したトランジスタ１００と同様に、種々の所望のしきい値電圧に設定されたしきい値電圧を有するようにしうる。すなわち、しきい値電圧は、ゲート誘電体層２２２及び２２４間に捕捉すべき又はゲート誘電体層２２２及び２２４内に閉じ込めるべき適切な電荷量を選択することにより設定しうる。
【００２９】
前述したトランジスタ１００でも同様であるが、本発明はトランジスタに関するものである為、電荷をゲート誘電体層２２２及び２２４内に閉じ込めるか又はゲート誘電体層２２２及び２２４間に捕捉し、トランジスタ２００の全動作中、設定しきい値電圧が維持されるようにする。更に、電荷をゲート誘電体層２２２及び２２４内に閉じ込めるか又はゲート誘電体層２２２及び２２４間に捕捉し、設定しきい値電圧が長期間に亘り、例えば、トランジスタ２００の動作寿命に亘り維持されるようにする。
【００３０】
更に、所望のしきい値電圧を得るために、２つのみのゲート誘電体層ではなく、多重ゲート誘電体層のような他の層を積層させることができる。従って、トランジスタ２００には、ゲート電極２２６の下側に、以下の何れか又は任意の組み合わせを設けることができる。
シリコン酸化物／シリコン窒化物；
シリコン酸化物／シリコン窒化物／シリコン酸化物；
シリコン酸化物／シリコン窒化物／シリコン酸化物／シリコン窒化物；
シリコン窒化物／シリコン酸化物；
シリコン窒化物／シリコン酸化物／シリコン窒化物；
シリコン窒化物／シリコン酸化物／シリコン窒化物／シリコン酸化物；
これらの何れかの組み合わせ。
【００３１】
図３を参照するに、この図３は本発明の一実施例によるトランジスタ３００を示す断面図である。このトランジスタ３００は、図２の基板２０６と、遷移体２０８と、III 族窒化物体２１０と、III 族窒化物体２１２と、通電電極２１６及び２１８と、ゲート電極２２６と、ゲート誘電体層２２２と、ゲート誘電体層２２４とにそれぞれ相当する基板３０６と、遷移体３０８と、III 族窒化物体３１０と、III 族窒化物体３１２と、通電電極３１６及び３１８と、ゲート電極３２６と、ゲート誘電体層３２２と、ゲート誘電体層３２４とを具えている。
【００３２】
トランジスタ３００は、トランジスタ２００に類似しているが、トランジスタ３００では、ゲート誘電体層３２２が凹所３２８を有し、ゲート誘電体層３２４がこの凹所３２８の少なくとも底面及び側面上に形成され、ゲート電極３２６がゲート誘電体層３２４上で少なくとも凹所３２８内に形成されている。トランジスタ３００では、ゲート誘電体層３２２及びゲート誘電体層３２４間で、好ましくは凹所３２８の底面及び側面に沿うように電荷が捕捉されるようにしうる。その結果、ゲート構造体３２１が占める横方向面積を増大させることなしに、電荷捕捉に供せられる面積を増大させることができる。
【００３３】
図４を参照するに、この図４は本発明の一実施例によるトランジスタ４００を示す断面図であり、このトランジスタ４００はトランジスタ３００を高度化したものである。このトランジスタ４００は、図３のIII 族窒化物体３１０と、III 族窒化物体３１２と、ゲート電極３２６と、ゲート誘電体層３２２と、ゲート誘電体層３２４とにそれぞれ相当するIII 族窒化物体４１０と、III 族窒化物体４１２と、ゲート電極４２６と、ゲート誘電体層４２２と、ゲート誘電体層４２４とを具えている。
【００３４】
トランジスタ４００では、１つのみの凹所（例えば、図３の凹所３２８）の代わりに、凹所４３０及び４３２のような互いに離間した複数の凹所がゲート誘電体層４２２内に形成され、ゲート誘電体層４２２とゲート誘電体層４２４との間の界面の面積を更に増大させ、これにより２つの誘電体層間の電荷捕捉容量を大きくしている。
【００３５】
従って、上述したように、種々の実施例によれば、本発明により、電荷を有する少なくとも１つのゲート誘電体層を具えるトランジスタがその伝導チャネルの中断領域を生じるようにすることができる。ある実施例では、電荷をこの少なくとも１つのゲート誘電体層内に閉じ込めるか又はこの少なくとも１つのゲート誘電体層と他のゲート誘電体層との間に捕捉させ、伝導チャネルの中断領域を生ぜしめるようにしうる。トランジスタには更に、伝導チャネルの中断領域を復元させるように作用しうるゲート電極を有しうる。従って、本発明の実施例によれば、例えば、起動中で制御回路がパワーアップされている間に電流が流れるのを回避させるのを補償する必要のない電力分野における電力スイッチとして用いうるエンハンスメントモードのIII 族窒化物トランジスタを提供しうる。
【００３６】
本発明の上述した説明から明らかなように、本発明の範囲を逸脱することなく、本発明の概念を実行するのに種々の技術を用いうる。更に、本発明をある特定の実施例につき説明したが、当業者にとって明らかなように、本発明の精神及び範囲を逸脱することなく、本発明の形態及び細部において変更を行いうるものである。従って、上述した実施例はあらゆる点で例示的なものであり、本発明を限定するものではない。又、本発明は上述した実施例に限定されるものではなく、本発明の範囲を逸脱することなく、再配置、変更及び置換を行いうるものである。
【図１】
2011205071.tif 000003
【図２】
2011205071.tif 000004
【図３】
2011205071.tif 000005
【図４】
2011205071.tif 000006
【手続補正書】
【提出日】平成23年4月21日(2011.4.21)
【手続補正１】
【補正対象書類名】明細書
【補正対象項目名】００１５
【補正方法】変更
【補正の内容】
【００１５】
ゲート誘電体層１２５内に閉じ込められている電荷は、電子を伝導チャネルから反発させるか電子を伝導チャネルに引き付けることにより、伝導チャネル内の２ＤＥＧ１１４を妨害してトランジスタ１００のしきい値電圧を設定又はプログラミングする。本例では、例えば、特定量の電荷をゲート誘電体層１２５内に閉じ込め、電荷が存在しないとデプレションモードのトランジスタとなるようなトランジスタ１００のしきい値電圧を設定し、これによりトランジスタ１００をエンハンスメントモードのトランジスタとしうるようにする。他の実施例では、特定量の電荷をゲート誘電体層１２５内に閉じ込めて、既にエンハンスメントモードとなっているトランジスタ１００のしきい値電圧を設定するようにしうる。更に他の実施例では、特定量の電荷をゲート誘電体層１２５内に閉じ込めて、既にデプレションモードとなっているトランジスタ１００のしきい値電圧を設定するか、又はこのようにしないとデプレションモードであるトランジスタをエンハンスメントモードのトランジスタ１００とする。
【手続補正２】
【補正対象書類名】明細書
【補正対象項目名】００２２
【補正方法】変更
【補正の内容】
【００２２】
トランジスタ２００は更に、III 族窒化物体２１２の一部分上のゲート誘電体層２２２と、このゲート誘電体層２２２上のゲート誘電体層２２４と、このゲート誘電体層２２４上のゲート電極２２６とを具えている。従って、単一のゲート誘電体層（ゲート誘電体層１２５）のみを有する前述した実施例と相違して、トランジスタ２００は２つのゲート誘電体層を有する。フィールド及びパッシベーションの双方又は何れか一方の層２７０を図示のように設けることができる。一実施例によれば、ゲート誘電体層２２２及びゲート誘電体層２２４を、これらの間に電荷トラップ部が形成されるように選択しうる。従って、ある実施例では、電荷を、ゲート誘電体層２２２及びゲート誘電体層２２４の少なくとも一方の中に閉じ込めるのではなく、ゲート誘電体層２２２及びゲート誘電体層２２４間の界面に捕捉することができる。
【外国語明細書】
2011205071000001.pdf